(57)【要約】【課題】  各映像コンテンツに対応づけてサムネイル画像若しくはサムネイル映像が記録された情報記録媒体から、他の情報記録媒体へ前記各映像コンテンツを複製等する際に、他の情報記録媒体においても、ユーザに煩雑な操作を強いることなく、前記サムネイル画像若しくはサムネイル映像を活用できるようにした映像記録再生装置の提供。【解決手段】  他の情報記録媒体へ映像コンテンツを複製等する際には、情報記録媒体（ＤＶＤ若しくはＨＤＤ）から、サムネイル抽出部１５３によって、当該映像コンテンツに対応するサムネイル画像を抽出し、これを、コンテンツ・サムネイル結合処理部１５４によって映像コンテンツの先頭に結合させることにより、「各映像コンテンツの最初の１画像を取得してこれを各映像コンテンツに対応付けるサムネイル画像とする機能」を備える装置において、自動的にサムネイル画像を取得できるようにする。【選択図】  図１
2007028128.tif 000002
【特許請求の範囲】
【請求項１】
ランダムアクセス可能な情報記録媒体を備え、当該情報記録媒体に記録される各映像コンテンツに対応づけてサムネイル画像若しくはサムネイル映像を記憶させることが可能な映像記録再生装置であって、サムネイル抽出部と、コンテンツ・サムネイル結合処理部と、を備えることにより、前記情報記録媒体に記録されている映像コンテンツに対応付けられたサムネイル画像若しくはサムネイル映像を、前記サムネイル抽出部により抽出し、当該抽出されたサムネイル画像若しくはサムネイル映像を、前記コンテンツ・サムネイル結合処理部によって、前記映像コンテンツの先頭に結合させることを特徴とする映像記録再生装置。
【請求項２】
ランダムアクセス可能な情報記録媒体を備え、当該情報記録媒体に記録される各映像コンテンツに対応づけてサムネイル画像若しくはサムネイル映像を記憶することが可能な映像記録再生装置であって、サムネイル抽出部と、コンテンツ・サムネイル結合処理部と、入力部とを備えることにより、前記情報記録媒体に記録されている映像コンテンツを他の情報記録媒体へと記録させる複製処理若しくは編集処理時には、サムネイルをコンテンツ映像に付加するか否かの判断をユーザに求め、これに対して前記入力部に行われるユーザからの指示が、付加する旨の指示であった場合には、前記映像コンテンツに対応付けられたサムネイル画像若しくはサムネイル映像を、前記サムネイル抽出部により抽出し、当該抽出されたサムネイル画像若しくはサムネイル映像を、前記コンテンツ・サムネイル結合処理部によって、前記映像コンテンツの先頭に結合させて前記他の情報記録媒体へと記録させることを特徴とする映像記録再生装置。
【請求項３】
静止画像生成部を備えることにより、前記サムネイル画像若しくはサムネイル映像から、静止画像を生成し、当該静止画像を前記映像コンテンツの先頭に結合させることにより、前記抽出されたサムネイル画像若しくはサムネイル映像と前記映像コンテンツとの結合処理を行わせることを特徴とする請求項１又は請求項２に記載の映像記録再生装置。
【請求項４】
映像音声信号をＭＰＥＧ規格に基づいて符号化するＭＰＥＧ部を備えることにより、前記サムネイル画像若しくはサムネイル映像から、Ｉピクチャを１フレーム生成し、当該Ｉピクチャを前記映像コンテンツから生成されるＭＰＥＧ符号化ストリームの先頭に結合させることで、前記抽出されたサムネイル画像若しくはサムネイル映像と前記映像コンテンツとの結合処理を行わせることを特徴とする請求項１又は請求項２に記載の映像記録再生装置。
【請求項５】
ランダムアクセス可能な情報記録媒体を備え、当該情報記録媒体に記録される各映像コンテンツに対応づけてサムネイル画像若しくはサムネイル映像を記憶させることが可能な映像記録再生装置における映像コンテンツの記録方法であって、前記情報記録媒体に記録されている映像コンテンツに対応付けられたサムネイル画像若しくはサムネイル映像を、前記映像コンテンツの先頭に結合させて記録することを特徴とする映像コンテンツ記録方法。
【請求項６】
ランダムアクセス可能な情報記録媒体を備え、当該情報記録媒体に記録される各映像コンテンツに対応づけてサムネイル画像若しくはサムネイル映像を記憶することが可能な映像記録再生装置における映像コンテンツの記録方法であって、前記情報記録媒体に記録されている映像コンテンツを他の情報記録媒体へと記録させる複製処理若しくは編集処理時には、サムネイルをコンテンツ映像に付加するか否かの判断をユーザに求め、これに対するユーザからの指示が、付加する旨の指示であった場合には、前記映像コンテンツに対応付けられたサムネイル画像若しくはサムネイル映像を、前記映像コンテンツの先頭に結合させて前記他の情報記録媒体へと記録させることを特徴とする映像コンテンツ記録方法。
【発明の詳細な説明】
【技術分野】
【０００１】
本発明は、ランダムアクセス可能な情報記録媒体を備える記録再生装置に関し、特に、当該情報記録媒体に記録されるコンテンツの内容を示すサムネイルの有効活用が図られた映像記録再生装置に関する。
【背景技術】
【０００２】
ハードディスクやＤＶＤに代表される情報記録媒体は、そのランダムアクセス性による利便性などの理由により広く普及している。これらのランダムアクセス可能な情報記録媒体に映像コンテンツが記録されている場合には、そのランダムアクセス性を活用するために、メニュー画面などを表示させることで各映像コンテンツを直接選択できるようにする等の手法がとられている。
【０００３】
各映像コンテンツを示す情報としては、その録画日時やタイトルなどを文字情報として表示させるものの他に、サムネイル画像若しくはサムネイル映像（前記各映像コンテンツから一部を抽出する等して作成されたもの）を表示させることによって、各映像コンテンツの内容の把握を容易とさせることが行われている。当該サムネイル画像の生成などに関する従来技術が特許文献１〜特許文献５などによって開示されている。
【０００４】
【特許文献１】特開２０００−２９５５５７号公報
【特許文献２】特開２００１−１１１９６３号公報
【特許文献３】特開２００１−２３８１７５号公報
【特許文献４】特開２００３−２８９４８６号公報
【特許文献５】特開２００４−２１４８５３号公報
【発明の開示】
【発明が解決しようとする課題】
【０００５】
複数の映像コンテンツが記録されている場合などに、各映像コンテンツを示すサムネイル画像を生成する手法として、各映像コンテンツの最初の１画像を取得してこれを各映像コンテンツに対応付けるサムネイル画像とする手法があり、当該手法は広く採用されている（多くの機器で当該機能を有している）。
【０００６】
当該機能は、自動的にサムネイルを生成させることができるためユーザの利便性に優れているが、「各映像コンテンツの最初の１画像」が、必ずしも当該コンテンツ内容を示すものとして適した画像であるとは限らない（例えば、放送番組を録画した際に、最初の部分にＣＭが録画されてしまっているような場合のごとく、むしろ、コンテンツ内容と関係ない画像である場合が多い）。従って、「コンテンツ内容を示す画像」をユーザに選択させる等することで、サムネイル画像の利用性を高めることが行われており、当該サムネイル画像は、各映像コンテンツと対応付けられて、映像コンテンツの映像データが記録されている記憶媒体（例えばＤＶＤ）上の別領域に、若しくは、映像コンテンツが記録されている記憶媒体とは別の記憶媒体（例えばハードディスクや半導体メモリ）上に保存することが従来行われていた。
【０００７】
従来、このような、サムネイル画像と対応付けがなされている各映像コンテンツ（例えばＨＤＤに記録されている映像）を、他の記録媒体に（例えばＤＶＤに）複製するような場合には、映像コンテンツの映像データのみが複製され、別領域に記録されているサムネイル画像が、複製先の他の記録媒体に反映されないため、“他の記録媒体”において「各映像コンテンツの内容を示すのに適した画像を選択してサムネイル画像を作成する作業処理」を、再度繰返さなければならないという煩雑さが生じる場合があった。
【０００８】
本発明は、上述した点に鑑み、各映像コンテンツに対応づけてサムネイル画像若しくはサムネイル映像が記録された情報記録媒体から、他の情報記録媒体へ前記各映像コンテンツを複製等する際に、他の情報記録媒体においても、ユーザに煩雑な操作を強いることなく、前記サムネイル画像若しくはサムネイル映像を活用できるようにした映像記録再生装置を提供することを目的とする。
【課題を解決するための手段】
【０００９】
請求項１の映像記録再生装置は、ランダムアクセス可能な情報記録媒体を備え、当該情報記録媒体に記録される各映像コンテンツに対応づけてサムネイル画像若しくはサムネイル映像を記憶させることが可能な映像記録再生装置であって、サムネイル抽出部と、コンテンツ・サムネイル結合処理部と、を備えることにより、前記情報記録媒体に記録されている映像コンテンツに対応付けられたサムネイル画像若しくはサムネイル映像を、前記サムネイル抽出部により抽出し、当該抽出されたサムネイル画像若しくはサムネイル映像を、前記コンテンツ・サムネイル結合処理部によって、前記映像コンテンツの先頭に結合させることを特徴とする。
【００１０】
上記構成によれば、映像コンテンツの先頭に、当該コンテンツ内容を示すサムネイル画像若しくはサムネイル映像が結合されて、１つの映像コンテンツとされる。
【００１１】
請求項２の映像記録再生装置は、ランダムアクセス可能な情報記録媒体を備え、当該情報記録媒体に記録される各映像コンテンツに対応づけてサムネイル画像若しくはサムネイル映像を記憶することが可能な映像記録再生装置であって、サムネイル抽出部と、コンテンツ・サムネイル結合処理部と、入力部とを備えることにより、前記情報記録媒体に記録されている映像コンテンツを他の情報記録媒体へと記録させる複製処理若しくは編集処理時には、サムネイルをコンテンツ映像に付加するか否かの判断をユーザに求め、これに対して前記入力部に行われるユーザからの指示が、付加する旨の指示であった場合には、前記映像コンテンツに対応付けられたサムネイル画像若しくはサムネイル映像を、前記サムネイル抽出部により抽出し、当該抽出されたサムネイル画像若しくはサムネイル映像を、前記コンテンツ・サムネイル結合処理部によって、前記映像コンテンツの先頭に結合させて前記他の情報記録媒体へと記録させることを特徴とする。
【００１２】
上記構成によれば、他の情報記録媒体へ映像コンテンツをコピー等する場合には、ユーザに当該映像コンテンツにサムネイルを付加するか否かの判断を求め、付加する旨の指示があった場合には、映像コンテンツの先頭に当該コンテンツ内容を示すサムネイル画像若しくはサムネイル映像が結合されて１つの映像コンテンツとされた上で、他の情報記録媒体へのコピー等がなされる。
【００１３】
請求項３の映像記録再生装置は、請求項１又は請求項２に記載の映像記録再生装置であって、静止画像生成部を備えることにより、前記サムネイル画像若しくはサムネイル映像から、静止画像を生成し、当該静止画像を前記映像コンテンツの先頭に結合させることにより、前記抽出されたサムネイル画像若しくはサムネイル映像と前記映像コンテンツとの結合処理を行わせることを特徴とする。
【００１４】
上記構成によれば、静止画像生成部によってサムネイル画像若しくはサムネイル映像から静止画像が生成され、当該静止画像が映像コンテンツの先頭に結合されて１つの映像コンテンツとされる。
【００１５】
請求項４の映像記録再生装置は、請求項１又は請求項２に記載の映像記録再生装置であって、映像音声信号をＭＰＥＧ規格に基づいて符号化するＭＰＥＧ部を備えることにより、前記サムネイル画像若しくはサムネイル映像から、Ｉピクチャを１フレーム生成し、当該Ｉピクチャを前記映像コンテンツから生成されるＭＰＥＧ符号化ストリームの先頭に結合させることで、前記抽出されたサムネイル画像若しくはサムネイル映像と前記映像コンテンツとの結合処理を行わせることを特徴とする。
【００１６】
上記構成によれば、サムネイル画像若しくはサムネイル映像から、Ｉピクチャ１フレームが生成され、当該Ｉピクチャが、映像コンテンツから生成されるＭＰＥＧ符号化ストリームの先頭に結合されて、１つのＭＰＥＧビデオストリームとされる。
【００１７】
請求項５の映像コンテンツ記録方法は、ランダムアクセス可能な情報記録媒体を備え、当該情報記録媒体に記録される各映像コンテンツに対応づけてサムネイル画像若しくはサムネイル映像を記憶させることが可能な映像記録再生装置における映像コンテンツの記録方法であって、前記情報記録媒体に記録されている映像コンテンツに対応付けられたサムネイル画像若しくはサムネイル映像を、前記映像コンテンツの先頭に結合させて記録することを特徴とする。
【００１８】
請求項６の映像コンテンツ記録方法は、ランダムアクセス可能な情報記録媒体を備え、当該情報記録媒体に記録される各映像コンテンツに対応づけてサムネイル画像若しくはサムネイル映像を記憶することが可能な映像記録再生装置における映像コンテンツの記録方法であって、前記情報記録媒体に記録されている映像コンテンツを他の情報記録媒体へと記録させる複製処理若しくは編集処理時には、サムネイルをコンテンツ映像に付加するか否かの判断をユーザに求め、これに対するユーザからの指示が、付加する旨の指示であった場合には、前記映像コンテンツに対応付けられたサムネイル画像若しくはサムネイル映像を、前記映像コンテンツの先頭に結合させて前記他の情報記録媒体へと記録させることを特徴とする。
【発明の効果】
【００１９】
本発明の請求項１の、ランダムアクセス可能な情報記録媒体を備え、当該情報記録媒体に記録される各映像コンテンツに対応づけてサムネイル画像若しくはサムネイル映像を記憶させることが可能な映像記録再生装置であって、サムネイル抽出部と、コンテンツ・サムネイル結合処理部と、を備えることにより、前記情報記録媒体に記録されている映像コンテンツに対応付けられたサムネイル画像若しくはサムネイル映像を、前記サムネイル抽出部により抽出し、当該抽出されたサムネイル画像若しくはサムネイル映像を、前記コンテンツ・サムネイル結合処理部によって、前記映像コンテンツの先頭に結合させることを特徴とする映像記録再生装置によれば、映像コンテンツの先頭に、当該コンテンツ内容を示すサムネイル画像若しくはサムネイル映像が結合されて、１つの映像コンテンツとされるため、当該映像コンテンツを複製して他の記録媒体に記録し、これを他の記録再生装置によって再生させる場合などにおいても、「各映像コンテンツの最初の１画像を取得してこれを各映像コンテンツに対応付けるサムネイル画像とする機能」を備えた機器であれば、自動的に、「サムネイル画像若しくはサムネイル映像」をサムネイル画像として取得させることができる。即ち、手作業で選択する等により作成された、“各映像コンテンツの内容を示すのに適した「サムネイル画像若しくはサムネイル映像」”を、他の記録媒体への複製処理等を経ても、当該他の記録媒体において利用することができると共に、当該処理が自動的に行われるため、ユーザの利便性に優れるのである。
【００２０】
本発明の請求項２の、ランダムアクセス可能な情報記録媒体を備え、当該情報記録媒体に記録される各映像コンテンツに対応づけてサムネイル画像若しくはサムネイル映像を記憶することが可能な映像記録再生装置であって、サムネイル抽出部と、コンテンツ・サムネイル結合処理部と、入力部とを備えることにより、前記情報記録媒体に記録されている映像コンテンツを他の情報記録媒体へと記録させる複製処理若しくは編集処理時には、サムネイルをコンテンツ映像に付加するか否かの判断をユーザに求め、これに対して前記入力部に行われるユーザからの指示が、付加する旨の指示であった場合には、前記映像コンテンツに対応付けられたサムネイル画像若しくはサムネイル映像を、前記サムネイル抽出部により抽出し、当該抽出されたサムネイル画像若しくはサムネイル映像を、前記コンテンツ・サムネイル結合処理部によって、前記映像コンテンツの先頭に結合させて前記他の情報記録媒体へと記録させることを特徴とする映像記録再生装置によれば、ユーザの指示に従って、他の情報記録媒体へ映像コンテンツをコピー等する際の、映像コンテンツへのサムネイルの付加の有無が実行されるため、サムネイルが不要とされる場合には、これを付加しないようにすることができ、より、ユーザの利便性に優れる。
【００２１】
本発明の請求項３の、静止画像生成部を備えることにより、前記サムネイル画像若しくはサムネイル映像から、静止画像を生成し、当該静止画像を前記映像コンテンツの先頭に結合させることにより、前記抽出されたサムネイル画像若しくはサムネイル映像と前記映像コンテンツとの結合処理を行わせることを特徴とする請求項１又は請求項２に記載の映像記録再生装置によれば、静止画像生成部によってサムネイル画像若しくはサムネイル映像から静止画像が生成され、当該静止画像が映像コンテンツの先頭に結合されて１つの映像コンテンツとされる。本来の映像コンテンツの先頭に「サムネイル画像若しくはサムネイル映像」を付加した場合、これを再生すると、本来の映像コンテンツの再生の前に「サムネイル画像若しくはサムネイル映像」が再生されることとなり、映像の連続性を損なうなど（視聴した際に見苦しいなど）の不利益を生じ得ることとなるが、上記構成によれば、付加されるサムネイルは“静止画”であるため、例えば、映像コンテンツが、秒間３０コマの映像の場合には、当該サムネイル画像が表示される時間は１／３０秒であり、これを視聴した場合の見苦しさを最小限に（ほぼ無視できるレベルに）抑制させることができる。
【発明を実施するための最良の形態】
【００２２】
以下、本発明の具体的実施例について、図面を参照しながら説明する。なお、以下の実施態様は、本発明を具体化する際の一形態であって、本発明をその範囲内に限定するためのものではない。
【００２３】
図１は本実施例の映像記録再生装置１の本発明に関する部分の概略を示したブロック図であり、図２は、同装置に備えられる記録再生処理部１５の構成の概略を示したブロック図である。
【００２４】
図１に示されるように、本実施例の映像記録再生装置１は、装置全体の制御などを行う制御部１１、入力インターフェースとなる入力部１２、出力インターフェースとなる表示部１４、当該表示部１４の制御などを行う表示処理部１３、ランダムアクセス可能な情報記録媒体である、ＨＤＤ（ハードディスク）や、ＤＶＤ（Ｄｉｔａｌ  Ｖｅｒｓａｔｉｌｅ  Ｄｉｓｃ）に対する処理を行う記録・再生処理部１５、メモリ部１７などを備える。
【００２５】
入力部１２は、装置の前面などに設けられる操作部１２２と、リモコン装置１２４と、リモコン装置１２４からの信号を受信する受光部１２３と、操作部１２２及び受光部１２３からの信号の内容を判別するキー判別部１２１によって構成される。記録・再生処理部１５は、ＨＤＤに対するデータの入出力処理などを行うＨＤＤ部１５１、ＤＶＤに対するデータの入出力処理などを行うＤＶＤ部１５２、ＨＤＤ若しくはＤＶＤに記録されている「サムネイル画像若しくはサムネイル映像」を抽出するサムネイル抽出部１５３、コンテンツ映像とサムネイルを結合させる処理を行うコンテンツ・サムネイル結合処理部１５４などによって構成される。
【００２６】
図２には、記録再生処理部１５の構成の一部を具体的に示した。記録再生処理部１５は、映像音声信号をＭＰＥＧ規格に基づいて符号化するＭＰＥＧエンコーダ部２０１・同復号化を行うＭＰＥＧデコーダ部２０２・バッファ部２０３などによって構成されるＭＰＥＧ部２００、静止画像生成部２１などを備える。後の説明で明らかになるが、静止画像生成部２１とＭＰＥＧ部２００とによってサムネイル抽出部１５３が構成され、ＭＰＥＧ部２００によってコンテンツ・サムネイル結合処理部１５４が構成されるものである。
【００２７】
本実施例の映像記録再生装置１は、記録媒体（ＨＤＤ若しくはＤＶＤ）に記録される各映像コンテンツに対応づけてサムネイル画像若しくはサムネイル映像を記憶することが可能であり、例えば、ＨＤＤ１５１１に記録されている各映像コンテンツに対応付けられたサムネイル画像若しくはサムネイル映像は、ＨＤＤ１５１１（若しくはメモリ部１７）に記録されている。ＤＶＤ２に記録されている各映像コンテンツに対応付けられたサムネイル画像若しくはサムネイル映像は、例えば、ＤＶＤ２の特定の記録領域内（若しくはメモリ部１７）に記録されている（特許文献２、特許文献３を参照）。
【００２８】
以上の構成を有する映像記録再生装置１の本発明に関する動作の概略を、図３を参照しつつ説明する。なお、図３は、記録媒体（ＨＤＤ若しくはＤＶＤ）に記録されている“１プログラム”（１つの映像コンテンツ）を、他の記録媒体（ＤＶＤ若しくはＨＤＤ）にコピー（ダビング）する処理の概念を示したものであるが、複数のプログラム（複数の映像コンテンツ）をコピーする場合や、映像コンテンツを一部編集した上で保存させるような場合にも同様の概念で適用できる。
【００２９】
プログラム（映像コンテンツ）のダビング要求があった場合には、ステップ３０１において当該プログラムに対応するサムネイル画像若しくはサムネイル映像があるか否かを判別する。当該判別は、記録・再生処理部１５と制御部１１とによって、ＤＶＤ２又はＨＤＤ１５１１（若しくはメモリ部１７）内に、当該プログラムに対応するサムネイル画像若しくはサムネイル映像があるか否かを判別することによって行われる。当該判別の結果、サムネイル画像若しくはサムネイル映像があった場合には、ステップ３０２へと移行する。一方、これがなかった場合には、ステップ３０６へと移行し、通常のダビング処理を行って、処理を終了する。
【００３０】
ステップ３０２では、図５に示されるような画面を表示処理部１３と制御部１１とによって表示部１４（若しくは映像記録再生装置１に接続されるテレビなどの表示装置）に表示させ、これに対するユーザからの指示が操作部１２２若しくはリモコン装置１２４に対してあった場合には、これをキー判別部１２１と制御部１１とによって判別し、当該指示がサムネイルの付加であった場合にはステップ３０４へと移行する（ステップ３０３）。一方、付加しない旨の指示であった場合には、ステップ３０６へと移行し（ステップ３０３）、通常のダビング処理を行って、処理を終了する。
【００３１】
ステップ３０４では、サムネイル静止画像の生成処理を行う。当該処理は、例えば、サムネイル映像がＨＤＤ１５１１に記録されている場合、当該サムネイル映像のデータを、読出部１５１３によって読出し（図２参照）、バッファ部１５１４を介してＭＰＥＧデコーダ部２０２へと入力して復号化し、これを静止画像生成部２１に入力する。静止画像生成部２１では、当該入力されたサムネイル映像からサムネイル静止画像を生成する（サムネイル映像の最初の画像を“サムネイル静止画像”としてもよいし、“サムネイル静止画像”とする画像をサムネイル映像の中からユーザに選択させるなどしてもよい。なお、必要に応じて画像サイズの変換等の処理も行われる）。サムネイル映像がＤＶＤ２に記録されている場合も同様の概念である。なお、サムネイルが、静止画像としてＨＤＤ１５１１やＤＶＤ２若しくはメモリ部１７に記録されている場合には、当該静止画像がそのまま（必要に応じて、画像サイズの変換などの処理が静止画像生成部２１によって行われる）“サムネイル静止画像”とされる。
【００３２】
ステップ３０５では、ステップ３０４で生成された“サムネイル静止画像”を本編映像の先頭に付加して符号化を行う。当該処理は、“サムネイル静止画像”を、ＭＰＥＧエンコーダ部２０１によって、Ｉピクチャ一枚（１フレーム）の１ＧＯＰとした上で本編の映像（ＭＰＥＧビデオストリーム）の先頭に付加することによって行われる。図４には、ＭＰＥＧビデオストリームの概念図を示した。同図に示されるように、“本来の本編映像”に、サムネイル静止画像であるＩピクチャ１フレーム分が付加されて、“新たな本編映像（図４（ｂ））”が生成される。
【００３３】
ステップ３０６では、ダビング処理（“新たな本編映像（図４（ｂ））”のダビング先への記録処理）を行って、処理を終了する。なお、サムネイルを付加した上でのダビング処理（ステップ３０５を経た後のダビング処理）においても、“本来の本編映像”部分には変更がないため、ＭＰＥＧ部２００を介した処理を行うのを“サムネイル静止画像”部分のみとし、“本来の本編映像”部分はＭＰＥＧ部２００を介せず（再符号化処理を行わずに）にコピーさせることも可能である（このようにすることによって、処理の高速化及び画像劣化防止を図ることができる）。
【００３４】
以上のごとく、本実施例の映像記録再生装置１によれば、編集や複製処理によって、他の媒体（例えばＤＶＤ）へ映像コンテンツを記録する場合等には、ユーザの選択に従って、当該映像コンテンツのＭＰＥＧビデオストリームの先頭部分に、当該映像コンテンツの内容を示すサムネイル画像（Ｉピクチャ１フレーム）が付加されることとなる。従って、これによって作成されたＤＶＤは、図６に示したように、各映像コンテンツ（プログラム）が先頭部分にサムネイル画像（Ｉピクチャ１フレーム）を備えているため、当該ＤＶＤを他の映像記録再生装置（例えばＤＶＤプレーヤ）にて使用する場合に、当該ＤＶＤプレーヤの「各映像コンテンツの最初の１画像を取得してこれを各映像コンテンツに対応付けるサムネイル画像とする機能」によって、各映像コンテンツ（プログラム）の先頭部分に付加されているサムネイル画像を、自動的にサムネイル画像として取得させることができる。即ち、手作業で選択する等により作成された、“各映像コンテンツの内容を示すのに適した「サムネイル画像若しくはサムネイル映像」”を、他の記録媒体への複製処理等を経ても、当該他の記録媒体において利用することができると共に、当該処理が自動的に行われるため、ユーザの利便性に優れるのである。
【００３５】
又、映像コンテンツの先頭に付加されるサムネイル画像は、１フレーム分であるため、本来の映像コンテンツの先頭に「サムネイル画像若しくはサムネイル映像」を付加することによって生じ得る、「映像の連続性を損なうなど（視聴した際に見苦しいなど）の不利益」を最小限に（ほぼ無視できるレベルに）抑制させることができる。
【００３６】
さらに、サムネイル画像を１ＧＯＰとして付加しているため、後の編集作業などによって、サムネイル画像を削除するような場合において、効率的な処理とさせることが可能である（“本来の本編部分”に対する再符号化処理を行わせないようにさせることも可能なため）。
【００３７】
なお、本実施例では、映像コンテンツの先頭に付加するサムネイルを、“静止画像”としているが、サムネイル映像（動画）を付加するようにしても構わない。ただし、この場合には、サムネイル映像が付加された“新たな本編映像”の再生の際に、「映像の連続性を損なうなど（視聴した際に見苦しいなど）の不利益」が顕在化する傾向となる。
【００３８】
本実施例では、“ランダムアクセス可能な情報記録媒体”の具体例として、ＨＤＤとＤＶＤとを用いて説明したが、その他のディスク媒体（例えば、ＶＣＤ、ＤＶＡ、ＣＤ等）であってもよく、半導体メモリなどであっても構わない。また、本発明における“映像記録再生装置”とは、いわゆるＤＶＤレコーダといった装置に限られるというものではなく、“ランダムアクセス可能な情報記録媒体”に対するデータの記録再生動作を行える装置を指し、他の機能をも併せ持つ装置（例えば、液晶テレビ一体型のＤＶＤレコーダや、ビデオカメラ、パソコンなど）であっても構わない。
【図面の簡単な説明】
【００３９】
【図１】映像記録再生装置の本発明に関する部分の概略を示したブロック図
【図２】記録再生処理部の構成の概略を示したブロック図
【図３】映像記録再生装置の本発明に関する動作の概略を示すフローチャート
【図４】ＭＰＥＧビデオストリームの概念図
【図５】表示画面の一例を示す図
【図６】記録媒体に記録される各プログラムの概念図
【符号の説明】
【００４０】
１      映像記録再生装置
２      ＤＶＤ（ランダムアクセス可能な情報記録媒体）
１１    制御部
１２    入力部
１７    メモリ部（ランダムアクセス可能な情報記録媒体）
２１    静止画像生成部
１５３  サムネイル抽出部
１５４  コンテンツ・サムネイル結合処理部
２００  ＭＰＥＧ部
１５１１  ＨＤＤ（ランダムアクセス可能な情報記録媒体）
【図１】
2007028128.tif 000003
【図２】
2007028128.tif 000004
【図３】
2007028128.tif 000005
【図４】
2007028128.tif 000006
【図５】
2007028128.tif 000007
【図６】
2007028128.tif 000008